(57)【要約】【課題】マンホールを覆う蓋に、方向を示す標識の働きを与え、蓋をする作業が容易である方向を示すマンホール蓋を提供する。【解決手段】蓋１１の中心を中心として放射状に、円周上に配列され、形成された複数の溝１３に、矢印１５を嵌合する。矢印１５は、ゴム製であり、例えば下水の流れの方向を示すもので、例えば色の異なる複数が設けられる。下水道のマンホール１を蓋１１で覆う作業をした後に、仮に蓋１１の方向が変わってしまっていても、放射状に形成された複数の溝１３のいずれか正しい方向の溝１３に、矢印１５をあらためて嵌合することができる。【選択図】図1
2006104672.tif 000002
【特許請求の範囲】
【請求項１】
下水道のマンホールを覆う円形の蓋であって、蓋の中心を中心として放射状に形成された複数の溝と、この溝に嵌合する矢印と、を備えたことを特徴とする方向を示すマンホール蓋。
【請求項２】
前記複数の溝は、蓋の円周上に配列され、前記矢印は、ゴム製であることを特徴とする請求項１に記載の方向を示すマンホール蓋。
【請求項３】
前記矢印は、色の異なる複数が設けられ、前記蓋には、色ごとの矢印の示す方向の内容が表示されていることを特徴とする請求項１、または２に記載の方向を示すマンホール蓋。
【発明の詳細な説明】
【技術分野】
【０００１】
この発明は、下水道のマンホールを覆う円形の蓋の表面の構造に関する。
【背景技術】
【０００２】
下水道のマンホールを覆う円形の蓋には、表面に、測量基準点のマークが形成されているもの（特許文献１）、交換できる化粧層が設けられているもの（特許文献２）などがある。
【特許文献１】特開平１０−１１１１２９
【特許文献２】特開平６−１５８６７４
【発明の開示】
【発明が解決しようとする課題】
【０００３】
しかしながら、マンホールを覆う蓋に、方向を示す標識の働きを有するものを出願人は知らない。その理由は、仮に蓋の表面に方向を示す標識を形成しても、マンホールを覆う円形の蓋は、蓋に方向性がないので、マンホール内の作業を終えて再び蓋をする際に、重量物である蓋をうまく動かして、同じ方向を向いた状態で蓋をすることが困難であったこと、また、同じ方向を向いた状態で蓋をしようとすると、蓋をする作業に手間取ってしまうこと、などであると考えられる。
【０００４】
この発明は、以上の問題点を解決するために、マンホールを覆う蓋に、方向を示す標識の働きを与え、蓋をする作業が容易である方向を示すマンホール蓋を提供することを目的とする。
【課題を解決するための手段】
【０００５】
以上の課題を解決するために、第一発明は、下水道のマンホールを覆う円形の蓋であって、蓋の中心を中心として放射状に形成された複数の溝と、この溝に嵌合する矢印と、を備えたことを特徴とする方向を示すマンホール蓋である。
第二発明は、さらに、前記複数の溝は、蓋の円周上に配列され、前記矢印は、ゴム製であることを特徴とする方向を示すマンホール蓋である。
第三発明は、さらに、前記矢印は、色の異なる複数が設けられ、前記蓋には、色ごとの矢印の示す方向の内容が表示されていることを特徴とする方向を示すマンホール蓋である。
【発明の効果】
【０００６】
第一、第二、又は第三発明によれば、下水道のマンホールを蓋で覆う作業をした後に、仮に蓋の方向が変わってしまっていても、放射状に形成された複数の溝のいずれか正しい方向の溝に、矢印をあらためて嵌合する。これにより、マンホールを覆う蓋に方向を示す標識の働きを与えることができ、蓋をする作業は方向を考えずにできるので、容易である。標識の方向としては、例えば、下水の流入、流出方向、公共施設の方向などを示すことができる。
第二、又は第三発明によれば、さらに、矢印をゴム製とすることで、溝へ嵌合する作業が容易である。
第三発明によれば、さらに、一つの蓋で複数の方向を示すときに、その方向の内容を、色で分けて示すことができ、標識としての機能が向上する。
【発明を実施するための最良の形態】
【０００７】
この発明の実施形態を、図１〜図３に示す。
図３に示すように、下水道のマンホール１を構成する縦穴部分３には、側面に、流入側下水管５が接続し、略反対側の側面には、流出側下水管７が接続する。このように接続される下水管は、流入側と流出側の２本だけではなく、３本以上であることもある。
縦穴部分３の上部には、マンホール１の縁部９が形成され、この縁部９に円形の蓋１１が載置され、道路などの地表面１２と面一になる。
【０００８】
図２に示すように、蓋１１の表面には、方向を示す標識の働きを与えるために、蓋１１の中心を中心として放射状に、蓋１１の円周上に１０度づつの間隔で配列された複数の溝１３が形成される。この溝１３にゴム製の矢印１５が着脱可能に嵌合する。
複数の溝１３が形成される円周状の帯域１７は、最表面が蓋１１の表面と一致する。図１に示すように、この帯域１７の半径方向の内側と外側には、円周溝１９、２１が形成される。これにより着脱が容易になる。
溝１３の幅は、テーパー状に、半径方向内側より外側が狭くなることで、矢印１５が外側方向に抜けてしまう抜け止めの機能を有する。
また、図示しないものの、溝１３の幅は、テーパー状に、深さ方向下側より上側が狭くなることで、矢印１５が上側方向に抜けてしまう抜け止めの機能を有する。
この実施形態では、標識の方向としては、下水の流入方向と流出方向とを示す二つの矢印１５が用いられる。各矢印１５は、色が異なり、例えば流入方向を示す緑と流出方向を示す赤とする。
【０００９】
「実施形態の効果」
この実施形態によれば、下水道のマンホール１内部での作業を終え、マンホール１を蓋１１で覆う作業をした後に、円形の蓋１１に方向性がないために仮に蓋１１の方向が変わってしまっていても、放射状に形成された複数の溝１３のいずれか正しい方向の二つの溝１３に、二つの色違いの矢印１５をあらためて嵌合することができる。
【００１０】
このとき、もとの位置に嵌合していた矢印１５を外し、正しい位置に嵌合する着脱作業は、矢印１５が嵌合される溝１３を内外から挟んで形成される二つの円周溝１９に道具や指を入れることで、矢印１５を無理なく操作できるので、容易に行える。
これにより、再び、マンホール１を覆う蓋１１に方向を示す標識の働きを与えることができる。また、蓋１１をする作業は方向を考えずにできるので、容易である。
さらに、二つの方向を示すときに、その方向の内容を、色で分けて示すことができ、標識としての機能が向上する。
従来は、流入方向や流出方向は、実際にマンホールの蓋を開けて中に作業員がはいって目視により検知していたが、交通量の多い交差点に設けられているマンホールなどは、作業が危険であった。この実施形態によれば、そのような危険は避けられる。
【００１１】
「他の実施形態」
以上の実施形態では、矢印１５が下水の流入方向や流出方向を示すとの方向の内容は、作業員などの専門の知識を有する人に分かればいいことなので蓋１１にあえて表示されないが、他の実施形態では、表示されてもかまわない。
【００１２】
また、以上の実施形態では、各矢印１５は色が異なることで、流入方向と流出方向を示すものとしたが、流入方向と流出方向はそもそも矢印の方向で判別できるので、他の実施形態では、各矢印１５の色が異なることで、流入側下水管５や流出側下水管７の管径を示すものとしてもよい。例えば、赤青黄で３種類の管径が示せる。
【００１３】
また、以上の実施形態では、蓋１１が機能を果たす標識の方向としては、下水の流入、流出方向であったが、他の実施形態では、図４に示すように、港、市役所、駅、などの公共施設の方向などを示すことができる。蓋１１には、緑色で「港（緑色の方向です）」、赤色で「市役所（赤色の方向です）」のように色ごとに表示され、これにより、緑色の矢印１５Ａの示す方向、及び赤色の矢印１５Ｂの示す方向の内容が表示されている。
【００１４】
また、他の実施形態では、ゴム製ではなく、例えば他の金属製の矢印１５とし、溝１３へハンマーなどで打ち込んで嵌合し、外すときは道具でこじ上げて外すものとしてもよい。
また、以上の実施形態では、溝１３は円周上に配列されたが、他の実施形態では、必ずしも円周上に配列される必要はない。
また、以上の実施形態では、矢印１５は複数であったが、他の実施形態では、一つであってもかまわない。
【図面の簡単な説明】
【００１５】
【図１】この発明の一実施形態を示すもので、マンホールの蓋の表面に嵌合された矢印を示す拡大断面図（図２のＩ−Ｉ断面図）である。
【図２】図１の矢印が嵌合された蓋を有するマンホールの平面図である。
【図３】図２の側面図である。
【図４】この発明の他の実施形態を示すもので、マンホールの蓋の平面図である。
【符号の説明】
【００１６】
１…マンホール、３…縦穴部分、５…流入側下水管、７…流出側下水管、９…縁部、
１１…蓋、１３…溝、１５…矢印、１７…帯域、１９、２１…円周溝。
【図１】
2006104672.tif 000003
【図２】
2006104672.tif 000004
【図３】
2006104672.tif 000005
【図４】
2006104672.tif 000006